(57)【特許請求の範囲】
【請求項１】
吸気口および排気口を有し、電動送風機が内蔵された筐体と、
前記筐体において、前記排気口の下方に形成され、前記排気口から排出される排気流に当てるように、斜め上向きの空気流を噴き出させる噴出口と、
前記噴出口に設けられ、回動軸有し前記噴出口から噴き出る空気の風圧によって前記噴出口を開き、自重によって前記噴出口を閉じる回動自在なシャッタと、を備え、
前記シャッタの回動軸近傍側の端部でかつ下面に、前記噴出口内に突出する補助翼を一体的に設けたことを特徴とする、電気掃除機。
【請求項２】
前記電動送風機は、吸い込んだ空気を、前記電動送風機から一旦下方へ流し、前記電動送風機の周囲を流れるように上昇させた後に、前記排気口へ導くことを特徴とする、請求項１に記載の電気掃除機。
【発明の詳細な説明】
【技術分野】
【０００１】
この発明は、電気掃除機に関する。
【背景技術】
【０００２】
掃除機本体の排気口から排出される空気によって床上の塵埃が舞い上がることを防止するための手段が講じられた電気掃除機が知られている（特許文献１参照）。
特許文献１に記載の電気掃除機では、掃除機本体における排気口の下部に、ウィングが蝶番を介して取り付けられている。ウィングは、電気掃除機を使用しないときには排気口を閉じているが、蝶番を中心に回動することで任意の角度に傾き、排気口を開くことができる。
【０００３】
電気掃除機を使用するために、予めウィングを適当な角度に傾けて排気口を開いてから電気掃除機のスイッチをオンにすると、掃除機本体内の空気は、傾いたウィングにガイドされることで、排気口から上向きに排出されるので、この空気が床へ向かって下向きに排出されて床上の塵埃を舞い上げることが防止される。
【先行技術文献】
【特許文献】
【０００４】
【特許文献１】特開平１１−１４６８４６号公報
【発明の概要】
【発明が解決しようとする課題】
【０００５】
特許文献１に記載の電気掃除機では、床上の塵埃が舞い上がることを防止するために、ユーザがウィングをいちいち傾けねばならないので、使い勝手が悪い。また、ウィングは、排気口を開いていても排気口に対して対向配置されるので、排気口から排出される空気の抵抗となり、その分、電気掃除機における吸引力が低下するおそれがある。
この発明は、かかる背景のもとでなされたもので、床上の塵埃が舞い上がることを防止する構成において、吸引力の低下を抑えつつ、使い勝手の向上を図ることができる電気掃除機を提供することを主たる目的とする。
【０００６】
また、この発明は、床上の塵埃が舞い上がることを防止する構成の故障を防止できる電気掃除機を提供することを別の目的とする。
【課題を解決するための手段】
【０００７】
請求項１記載の発明は、吸気口および排気口を有し、電動送風機が内蔵された筐体と、前記筐体において、前記排気口の下方に形成され、前記排気口から排出される排気流に当てるように、斜め上向きの空気流を噴き出させる噴出口と、前記噴出口に設けられ、回動軸有し前記噴出口から噴き出る空気の風圧によって前記噴出口を開き、自重によって前記噴出口を閉じる回動自在なシャッタと、を備え、前記シャッタの回動軸近傍側の端部でかつ下面に、前記噴出口内に突出する補助翼を一体的に設けたことを特徴とする、電気掃除機である。
【００１０】
請求項２記載の発明は、前記電動送風機は、吸い込んだ空気を、前記電動送風機から一旦下方へ流し、前記電動送風機の周囲を流れるように上昇させた後に、前記排気口へ導くことを特徴とする、請求項１に記載の電気掃除機である。
【発明の効果】
【００１１】
請求項１記載の発明によれば、吸気口および排気口を有し、電動送風機が内蔵された筐体と、前記筐体において、前記排気口の下方に形成され、前記排気口から排出される排気流に当てるように、斜め上向きの空気流を噴き出させる噴出口と、前記噴出口に設けられ、回動軸有し前記噴出口から噴き出る空気の風圧によって前記噴出口を開き、自重によって前記噴出口を閉じる回動自在なシャッタと、を備え、前記シャッタの回動軸近傍側の端部でかつ下面に、前記噴出口内に突出する補助翼を一体的に設けたものである。
この電気掃除機では、筐体において、排気口の下方に噴出口が形成されており、噴出口は、斜め上向きの空気流を噴き出させる。これにより、噴出口から噴き出た空気流が、排気口から排出される排気流に当たることで、筐体から排気される空気を上向きに流して床面から遠ざけることができるので、床上の塵埃が排気によって舞い上がることを防止できる。
【００１２】
そして、この構成であれば、排気口が常に開放されているので、排気口において円滑に排気できることから、吸引力の低下を抑えることができる。さらに、電動送風機を駆動させれば、自動的に噴出口から空気流が噴き出て、排気口からの排気流に当たることから、床上の塵埃が舞い上がることを防止するために手間がかからない。
また、噴出口に設けられたシャッタが、噴出口から噴き出る空気の風圧によって噴出口を開き、自重によって噴出口を閉じる。つまり、風圧と自重とを用いただけの簡単な構成で、シャッタが噴出口を開閉することができる。そして、シャッタが噴出口を閉じているときには、外部のごみが噴出口から筐体内に侵入することを防止できる。
また、シャッタに補助翼を設けることで、電動送風機の出力（換言すれば、排気の風速）の変化に伴って風圧が変化しても、シャッタは、シャッタ下面に加えて補助翼で風圧を受けることで、さらに押し開けられ、風圧が弱くても、常に最大限（最大角度）まで開くことができる。
【００１６】
請求項２記載の発明によれば、電動送風機は、吸い込んだ空気を、電動送風機から一旦下方へ流し、電動送風機の周囲を流れるように上昇させた後に、排気口へ導く。これにより、筐体内において空気をできるだけ高い位置に持っていってから排気口で排出させるこ
とができるので、排気口から排出された空気を床面から遠ざけることができる。そのため、床上の塵埃が排気によって舞い上がることを確実に防止できる。
【図面の簡単な説明】
【００１９】
【図１】（ａ）は、この発明の一実施形態に係る電気掃除機１の右側面図であり、（ｂ）は、（ａ）の要部右側断面図である。
【図２】電気掃除機１の背面図である。
【図３】図１において、シャッタ２２が開いた状態を示している。
【図４】電気掃除機１の平面図である。
【図５】変形例に係る電気掃除機１の掃除機本体２の右側断面図である。
【図６】図５において、シャッタ２２が閉じた状態を示している。
【図７】変形例に係る電気掃除機１の掃除機本体２が起立した状態を示している。
【図８】変形例に係る電気掃除機１の掃除機本体２の要部右側断面図である。
【図９】（ａ）は、変形例に係る電気掃除機１の掃除機本体２の要部右側断面図であり、（ｂ）〜（ｄ）は、（ａ）の要部拡大図である。
【発明を実施するための形態】
【００２０】
以下には、図面を参照して、この発明の実施形態について具体的に説明する。
図１において、（ａ）は、この発明の一実施形態に係る電気掃除機１の右側面図であり、（ｂ）は、（ａ）の要部右側断面図である。図２は、電気掃除機１の背面図である。以下では、電気掃除機１およびその構成部品の説明に関し、特に断りがない限り、便宜上、図１（ａ）における左側を前側、右側を後側、手前側を右側、奥側を左側として説明する。なお、左右方向と幅方向とは同じである。
【００２１】
図１（ａ）に示すように、電気掃除機１は、掃除機本体２とホース３とを備えており、図示していないが、ホース３の先に、電気掃除機１を動かすために操作される操作部と、パイプと、吸込具とを備えている。
掃除機本体２は、図１（ａ）では前後にやや長手で丸みを帯びたボックス形状である。掃除機本体２は、その外郭をなす中空体である筐体４と、電動送風機５（後述する図５において右上へ延びる斜線で構成されたハッチングが施された部分）と、電動送風機５に電力を供給するための電気コード６（図２参照）とを主に備えている。
【００２２】
電動送風機５および電気コード６は、筐体４内に収納されている。電気コード６に関連して、筐体４内（後述する空気流路１１内）には、コードリール（図示せず）が収納されており、電気コード６は、筐体４内において、コードリールに対して巻回されている。電気コード６は、電気掃除機１で清掃を行う際に、筐体４から引き出し可能である。
筐体４では、前面７に、吸気口８が形成され、後面９に、排気口１０が形成され、筐体４内部に、吸気口８と排気口１０とに連通する空気流路１１（図５も参照）が区画されている。上述した電動送風機５は、空気流路１１内に配置されている（図５参照）。
【００２３】
吸気口８にホース３の一端が接続されており、ホース３の内部と空気流路１１とは互いに連通している。
そして、筐体４では、天面１２の後端部に、掃除機本体２を床面Ｘから浮かせて移動させるためのハンドル１３が回動自在に設けられており、左右の側面１４の後端部には、車輪１５が設けられ、底面１６の前側部分には、キャスター１７が設けられている。車輪１５およびキャスター１７が床面Ｘ上で転がることによって、掃除機本体２は、床面Ｘ上で円滑に移動できる。
【００２４】
ここで、図１（ａ）に示すように、掃除機本体２が通常の姿勢にあって筐体４の底面１６が床面Ｘに上から対向しつつ車輪１５およびキャスター１７が床面Ｘに接触している状態では、後面９は、垂直方向に沿ってほぼ平坦である。後面９では、上側部分に、上述した排気口１０とコード引出口１８（図２も参照）とが形成されており、下側部分（つまり、排気口１０およびコード引出口１８の下方）に、噴出口１９（図１（ｂ）も参照）が形成されている。
【００２５】
図２に示すように、排気口１０は、たとえば、後面９に多数形成される小孔であって、全体で、上側へ膨出する略半円形状をなしている。
コード引出口１８は、筐体４内に収納された電気コード６を引き出すためのものである。ここで、後面９において背面視で右上側の端部には、前側へ窪む凹部９Ａが形成されており、コード引出口１８は、後面９において、凹部９Ａ内に形成されている。電気コード６は、筐体４内から引き出されるとき、または、筐体４内に収納されるときにコード引出口１８を通過する。コード引出口１８は、空気流路１１（図１（ａ）および図５参照）に連通している。また、電気コード６の先端には、外部のコンセント（図示せず）につなぐことができる電気プラグ２３が接続されており、電気コード６全体が筐体４内に収納された状態において、電気プラグ２３が、凹部９Ａ内において、コード引出口１８から後方へ露出されている。なお、筐体４の天面１２には、ボタン３６が設けられており、このボタン３６を押すと、筐体４から引き出されたコード６を筐体４内に引き戻すことができる。
【００２６】
噴出口１９は、幅方向に長手であり、たとえば幅方向において複数の細長い小孔に分割されていて、空気流路１１（図１（ａ）および図５参照）に連通している。噴出口１９に関連して、筐体４の後面９において噴出口１９が形成されている部分は、図１（ｂ）に示すように、後側へ盛り上がっており、詳しくは、後下側へ傾斜する第１傾斜面２０と、第１傾斜面２０の下端（後端）から前下側へ傾斜する第２傾斜面２１とを含んでいる。噴出口１９は、第１傾斜面２０に形成されていて、後上側を臨んでいる。
【００２７】
噴出口１９には、幅方向に細長い板状をなすシャッタ２２が設けられている。シャッタ２２は、幅方向に延びる軸３７（図１（ａ）参照）を中心に回動することで、開閉自在である。図１（ｂ）では、シャッタ２２は、第１傾斜面２０に沿うように閉じていて、噴出口１９を、筐体４の内側から塞いでいる。
このような電気掃除機１において、清掃時には、電動送風機５（図５参照）が、電気プラグ２３がコンセント（図示せず）につながった電気コード６（図２参照）から外部の電力を受けて駆動されることによって、吸引力を発生する。この吸引力によって、図１（ａ）に示す床面Ｘ上の塵埃は、上述した吸込具（図示せず）内に吸い込まれ、吸込具、パイプ（図示せず）、ホース３をこの順で通過した後、吸気口８から掃除機本体２の空気流路１１まで吸い込まれる。また、吸込具（図示せず）の周りの空気は、床面Ｘ上の塵埃とともに、空気流路１１まで吸い込まれる。
【００２８】
ここで、空気流路１１では、電動送風機５の手前（空気流路１１における空気の流れ方向における上流側）に、フィルタ２４が設けられており（図５において右下へ延びる斜線で構成されたハッチングが施された部分）、空気流路１１まで吸い込まれた空気と塵埃とは、フィルタ２４において分離される。そして、塵埃がフィルタ２４に溜められる一方で、空気は、電動送風機５によって、空気流路１１において、上述した空気の流れ方向における電動送風機５の下流側へ吐き出される。吐き出された空気のうち、ほとんどは、排気口１０から機外へ排出されるが、一部は、筐体４内にある電気コード６（図２参照）に浴びせられた後に、コード引出口１８から機外へ排出される。電気コード６を完全に引き出さない状態で電気掃除機１を使用した場合、電気コード６が過熱する可能性があり、電動送風機５の排気の一部を上述したコードリール（図示せず）側に排出して電気コード６を冷却するようにしており、この冷却空気が、コード引出口１８から機外へ排出される。
【００２９】
なお、図１では、シャッタ２２が閉じて噴出口１９を塞いでいることから（図１（ｂ）参照）、電動送風機５によって吐き出された空気が噴出口１９から機外へ排出されることはない。ただし、後述するように、シャッタ２２は、清掃中（電動送風機５が吸引力を発生している最中）では、必ず開いており、ここでは、説明の便宜上、清掃中にシャッタ２２が閉じているものとしている。
【００３０】
このように、空気流路１１内の空気は、排気口１０およびコード引出口１８から機外へ排出されるが、排出された空気の一部は、図１（ａ）において太い破線矢印で示すように、床面Ｘ側へ下降しつつ後方へ流れる。ここで、コード引出口１８は、電気コード６を床面Ｘ側へ円滑に（後面９におけるコード引出口１８の縁に引っ掛かることなく）引き出せるように、床面Ｘ側（後下側）へ向いていることから、コード引出口１８から排出された空気は、特に、床面Ｘ側へ積極的に流れる。これにより、排気口１０およびコード引出口１８から排出された後に床面Ｘに浴びせられた空気（排出流）を受けて床面Ｘ上の塵埃が舞い上がると言う不具合が生じ得る。
【００３１】
そこで、このような不具合を解決するために、図１（ｂ）に示すシャッタ２２および噴出口１９が機能する。
図３は、図１において、シャッタ２２が開いた状態を示している。
清掃中において、シャッタ２２は、図３（ｂ）に示すように、空気流路１１において電動送風機５によって吐き出された空気のうち、シャッタ２２まで到達した一部の空気（図３（ｂ）における太線矢印参照）の風圧によって押し開けられ、後上側へ傾斜するように回動する。これにより、噴出口１９が後上側へ開放され、シャッタ２２まで到達した空気は、空気流となって、噴出口１９から、後上側へ向けて機外へ斜め上向きに噴き出される。ここで、筐体４において第２傾斜面２１をなす壁３９では、筐体４内部（空気流路１１）に臨む面（ガイド面４０という。）が、噴出口１９へ向かって後上側へ傾斜している。そのため、空気流路１１から噴出口１９へ向かう空気は、ガイド面４０によって、後上側へ流れるようにガイドされるので、噴出口１９から機外へ排出された空気（空気流）は、確実に後上側へ向かって斜め上向きに排出される。
【００３２】
図３（ａ）に示すように、このように噴出口１９から後上側へ向けて機外へ斜め上向きに噴き出された空気流（太い実線矢印参照）が、排気口１０およびコード引出口１８から機外へ排出された空気（排気流であって、図１（ａ）における太い破線矢印参照）に対して、前下側から衝突する。これにより、排気口１０およびコード引出口１８から機外へ排出された空気は、流れる向きが修正されて、図３（ａ）において太い破線矢印で示すように、全体的に後上側へ流れるようになる。そのため、空気流路１１内から機外へ排出された空気を上向きに流して床面Ｘから遠ざけることができるので、この空気が床面Ｘに浴びせられて床面Ｘ上の塵埃が舞い上がることを防止できる。
【００３３】
また、この構成であれば、排気口１０が常に開放されているので、排気口１０において円滑に排気できることから、吸引力の低下を抑えることができる。さらに、電動送風機５（図５参照）を駆動させれば、自動的に噴出口１９から空気流が噴き出て、排気口１０およびコード引出口１８からの排気流に当たることから、床上の塵埃が舞い上がることを防止するために手間がかからない。
【００３４】
よって、床上の塵埃が舞い上がることを防止する構成を有する電気掃除機１において、吸引力の低下を抑えつつ、使い勝手の向上を図ることができる。
そして、電動送風機５（図５参照）の駆動が停止すると、電動送風機５が吸引力を発生しなくなることから、空気流路１１において空気が流れなくなるので、シャッタ２２を押し開ける空気がなくなり（風圧が弱くなり）、シャッタ２２は、自重によって閉じ、再び噴出口１９を塞ぐ（図１（ｂ）参照）。これにより、外部のごみが噴出口１９から筐体４内に入り込むことを防止できる。また、この状態では、噴出口１９から筐体４内の構造が露出されないので、見映えがよい。
【００３５】
このように、風圧と自重とを用いただけの簡単な構成で、シャッタ２２が噴出口１９を開閉することができる。
図４は、電気掃除機１の平面図である。
ここで、図４に示すように、筐体４の後面９には、筐体４外へ向かって後向き（図４では下向き）に突出する１対の防護リブ２５が一体的に設けられている。これらの防護リブ２５は、間隔を隔てて幅方向に並んでおり、これらの防護リブ２５の間に、上述した第１傾斜面２０および第２傾斜面２１が位置している。これらの防護リブ２５は、第１傾斜面２０の噴出口１９およびシャッタ２２を幅方向から挟みつつ（換言すれば、噴出口１９およびシャッタ２２の周囲に位置して）、第１傾斜面２０および第２傾斜面２１よりも後側へ突出している。また、この状態において、第１傾斜面２０および第２傾斜面２１は、幅方向から見て、防護リブ２５の輪郭の内側に位置している（図１（ａ）および図３（ａ）参照）。
【００３６】
第１傾斜面２０、第２傾斜面２１およびシャッタ２２は、これらの防護リブ２５によって保護されている。そのため、掃除機本体２に周囲の物がぶつかったり、掃除機本体２が後面９側から床面Ｘ（図１（ａ）参照）に落下したり、後述する図７に示すように掃除機本体２を起立させたりしても、シャッタ２２が外力を受けて破損することはない。
図５は、変形例に係る電気掃除機１の掃除機本体２の右側断面図である。図６は、図５において、シャッタ２２が閉じた状態を示している。
【００３７】
図５に示す変形例に係る電気掃除機１の掃除機本体２は、上述した実施例の掃除機本体２（図１〜図４参照）に対して、細部が異なる。なお、変形例において、上述した実施例と重複する部分については、同じ符号を付してその説明を省略する。図５では、上述した電動送風機５や空気流路１１やフィルタ２４が図示されている。
この変形例および上述した実施例では、ホース３（図１（ａ）参照）から空気流路１１まで吸い込まれた空気は、図５に示す空気流路１１において、太い破線矢印で示すように、吸気口８からフィルタ２４を経て後側へ流れ、電動送風機５に吸い込まれる。ここで、電動送風機５には、吸い込んだ空気を吐き出すための吐出口２６が、電動送風機５の下面に形成されており、電動送風機５に吸い込まれた空気は、吐出口２６で吐き出されることで、空気流路１１において、電動送風機５から一旦下方へ流れる。そして、筐体４内において、電動送風機５における吐出口２６付近に対して後側から隣接する位置には、仕切壁３８が設けられている。そのため、吐出口２６において電動送風機５から下方へ流れた空気は、仕切壁３８に遮られることにより、すぐに後側へ向かうことなく、空気流路１１において、一旦前側へ流れ、その後、電動送風機５の周囲を流れるように上昇してから後側へ流れて筐体４の後面９へ向かう。
【００３８】
そして、空気流路１１において後面９付近まで到達した空気のうち、一部の空気が、太い破線矢印で示すように排気口１０やコード引出口１８（図２参照）から先に機外へ排出される一方で、残りの空気は、太い実線矢印で示すように噴出口１９へ向かい、その後、噴出口１９から機外へ上向きに排出される。つまり、空気流路１１における空気の流れ方向において、噴出口１９は、最も下流側に位置している。噴出口１９から機外へ上向きに排出された空気は、上述したように、排気口１０およびコード引出口１８から機外へ排出された空気の流れを上向きに修正する。
【００３９】
ここで、電動送風機５は、吸い込んだ空気を、電動送風機５から一旦下方へ流し、電動送風機５の周囲を流れるように上昇させた後に、排気口１０へ導いていると言える。これにより、筐体４内において空気をできるだけ高い位置に持っていってから排気口１０で排出させることができるので、排気口１０から排出された空気を床面Ｘから遠ざけることができる。そのため、床上の塵埃が排気によって舞い上がることを確実に防止できる。
【００４０】
次に、図５に示す変形例に関し、噴出口１９を開閉するシャッタ２２について詳説する。筐体４の後面９は、上述した第１傾斜面２０の上端（前端）から後上側へ傾斜する第３傾斜面２７（区画面）を含んでおり、後面９には、第１傾斜面２０と第３傾斜面２７とによって、前側へ窪む凹部２８が形成（区画）されている。凹部２８は、幅方向から見て、前側へ向かって細くなる略三角形状であり、幅方向に細長い。噴出口１９は、凹部２８内において、凹部２８の前下側の部分に設けられている。
【００４１】
そして、シャッタ２２の前端部に対して、幅方向に延びる軸３７が挿通されており、シャッタ２２は、軸３７を中心として、噴出口１９を開放する開位置（図５参照）と、噴出口１９を塞ぐ閉位置（図６参照）との間で回動自在である。シャッタ２２は、電動送風機５が駆動されると、上述した風圧によって開かれて開位置にあり、電動送風機５の駆動が停止すると、上述した自重によって、右側面視で時計回りに所定量だけ回動することで閉位置まで移動して、噴出口１９を塞いでいる（図６参照）。
【００４２】
ここで、シャッタ２２は、凹部２８内で回動する。そのため、シャッタ２２の開位置と閉位置との間における回動軌跡Ｙ（図６参照）は、凹部２８内にある。よって、筐体４の後面９に何かがぶつかったり、掃除機本体２が後面９側から床面Ｘに落下したり、ユーザが後面９におけるシャッタ２２付近を踏んだりしても、後面９における凹部２８周囲がガード部４１となって、シャッタ２２および噴出口１９をこれらの近傍でガードしていることから、シャッタ２２および噴出口１９が破損することはない。そして、筐体４に凹部２８を形成して、凹部２８周囲をガード部４１とし、シャッタ２２および噴出口１９を凹部２８内に設けるといった簡易な構成で、シャッタ２２および噴出口１９の故障を確実に防止できる。また、シャッタ２２を凹部２８内に配置することで後面９から突出させていないので、掃除機本体２の小型化を図ることができる。
【００４３】
そして、図５に示すように開位置にあるシャッタ２２は、幅方向から見て、軸３７から後上側へ傾斜しており、第３傾斜面２７に対して後下側から密着している。このとき、シャッタ２２の後端（シャッタ２２において凹部２８から外部に最も露出される部分）は、凹部２８内（つまり、後面９から奥まったところ）に位置して、第３傾斜面２７に密着している。そのため、開位置にあるシャッタ２２を指先でつかんで動かすことはできず、開位置のシャッタ２２が不意に動かされて破損することが防止されている。
【００４４】
一方、図６に示すように閉位置にあるシャッタ２２は、幅方向から見て、軸３７から後下側へ傾斜しており、第１傾斜面２０とほぼ平行に延びている。このとき、シャッタ２２は、第１傾斜面２０よりも前下側（筐体４内）に位置していて、前下側から噴出口１９を塞いでいる（閉じている）。つまり、閉位置にあるシャッタ２２において凹部２８から外部に最も露出される後上側の端面２２Ａが、噴出口１９が形成された（噴出口１９を縁取る）第１傾斜面２０よりも筐体４内にずれており、この状態で、噴出口１９を隙間なく塞いでいる。そのため、第１傾斜面２０における噴出口１９の縁と閉位置のシャッタ２２とには、ほとんど隙間がないので、不意にシャッタ２２に触ってもシャッタ２２をつかんで回動させることはできず、閉位置のシャッタ２２の破損を防止できる。
【００４５】
シャッタ２２は、上述したように風圧で開かれて自重で閉じる構造上、軽い薄板状をなしており、強度が比較的低い。そのため、シャッタ２２に何かがぶつかったり、シャッタ２２が無理に動かされたりすると、シャッタ２２が破損する虞がある。しかし、以上のように、シャッタ２２を凹部２８内に配置したり、防護リブ２５で保護したりすることによって、シャッタ２２の破損が防止されているので、シャッタ２２の強度を必要以上に高めずに済み、また、モータやばねなどを用いた複雑な構成を用いずに、風圧および自重でシャッタ２２を開閉する構成を実現することができる。
【００４６】
図７は、変形例に係る電気掃除機１の掃除機本体２が起立した状態を示している。
清掃後に電気掃除機１を収納する場合や、高いところを掃除するために吸気口８を上向きにさせる場合等に、図７に示すように、筐体４において底面１６でなく後面９が床面Ｘに上から対向するように掃除機本体２を起立させることがある。
ここで、図７に示す変形例に係る電気掃除機１の掃除機本体２では、筐体４の後面９において、上述した防護リブ２５が、シャッタ２２の幅方向両外側（図４参照）だけでなく、排気口１０の上側（図７では右側）にも設けられている。そのため、掃除機本体２を起立させると、後面９では、これらの防護リブ２５だけが床面Ｘに対して上から当接するので、防護リブ２５以外の部分は、床面Ｘに対して浮いた状態となり、排気口１０やコード引出口１８（図２参照）や噴出口１９が床面Ｘによって塞がれることを防止できる。もちろん、防護リブ２５は、掃除機本体２が起立しているときにシャッタ２２が床面Ｘにぶつかって破損することも防止している。
【００４７】
図８は、変形例に係る電気掃除機１の掃除機本体２の要部右側断面図である。
図８は、掃除機本体２において、筐体４の下側部分を示している。
筐体４の下側部分は、筐体下部２９とされ、上述した底面１６ならびに左右の側面１４（図４参照）および後面９の下側部分を有している。また、筐体４は、上述した第１傾斜面２０、第２傾斜面２１およびシャッタ２２を有するカバー３０を備えており、カバー３０は、筐体下部２９から分離可能である。
【００４８】
ここで、カバー３０は、幅方向から見た断面が後側へ細くなる略三角形をなす中空体であって、幅方向に長い。そして、カバー３０は、図８では、略垂直に延びて、第１傾斜面２０の上端と第２傾斜面２１の下端との間に架設される垂直面３１を有しており、第１傾斜面２０と第２傾斜面２１と垂直面３１とによって、幅方向から見たカバー３０の断面形状（輪郭）が区画されている。
【００４９】
そして、この垂直面３１の下側部分３１Ａは、上側部分３１Ｂに比べて前側へ突出しており、この下側部分３１Ａには、カバー３０内部に連通する露出口３２が形成されている。露出口３２は、幅方向に長手の略矩形状である。また、カバー３０内において、前後方向で垂直面３１の上側部分３１Ｂと同じ位置には、格子状の枠３３が設けられている。枠３３は、露出口３２に対して後側から対向している。
【００５０】
また、カバー３０に関連して、筐体下部２９の後側上端部には、空気流路１１（図５参照）に連通する開口３４が形成されている。開口３４は、幅方向に長手の略矩形状であるが、露出口３２よりも上下に小さい。
カバー３０が筐体下部２９に組付けられた状態では、カバー３０の露出口３２と開口３４とが連通しており、電気掃除機１の運転時（上述した吸引力を発生しているとき）に空気流路１１（図５参照）を流れる空気の一部は、開口３４および露出口３２をこの順番で通過してカバー３０内に流入する。ここで、カバー３０内には、消音フィルタ３５（ドットで塗り潰された部分）が配置されている。消音フィルタ３５は、ウレタン等で形成された幅方向に長手のブロック形状である。カバー３０内に流入した空気は、消音フィルタ３５を通過してから噴出口１９において機外に排出される。空気が消音フィルタ３５を通過する際、空気の流れる音が消音フィルタ３５によって吸収されて消される。そのため、噴出口１９から排出される空気の音（排気音）は、大変静かである。
【００５１】
そして、掃除機本体２の製造時等においてカバー３０を筐体下部２９に組付ける際、まず、カバー３０に対して露出口３２から消音フィルタ３５を取り付ける。ここで、消音フィルタ３５は、露出口３２よりも少し大きい。そのため、消音フィルタ３５は、露出口３２に対して圧入されることでカバー３０に仮組みされ、前端面が露出口３２から前側へ露出された状態で、カバー３０内に収容される。このとき、消音フィルタ３５に対して上述した枠３３が後側から接触しているので、消音フィルタ３５が後側へ動くことはない。
【００５２】
次いで、露出口３２が開口３４に対して後側から対向した状態で、カバー３０を筐体下部２９に対して後側から組付ける。すると、筐体下部２９において開口３４の上端および下端を縁取る部分（縁２９Ａという。）が、露出口３２から露出された消音フィルタ３５に対して前から当接する。これより、消音フィルタ３５は、筐体下部２９の縁２９Ａとカバー３０の枠３３とによって前後から挟まれた状態となり、前後方向において位置決めされる。つまり、カバー３０を筐体下部２９に組付けると、消音フィルタ３５の位置が自動的に固定される。
【００５３】
これにより、消音フィルタ３５を、専用の部品やテープでカバー３０または筐体下部２９に固定しなくても、カバー３０を筐体下部２９に組付けるだけの作業で、消音フィルタ３５の位置を完全に固定することができる。
消音フィルタ３５は、このように位置が完全に固定されているので、上述したように空気が消音フィルタ３５を通過する際に、この空気によってカバー３０および筐体下部２９から剥がれたり、脱落したりすることはない。
【００５４】
この発明は、以上説明した実施形態に限定されるものではなく、請求項記載の範囲内において種々の変更が可能である。たとえば、この発明は、電気コード６およびコード引出口１８を備えない充電式の電気掃除機にも適用可能である。
また、シャッタ２２に関し、図９に示す変形例を適用することもできる。図９において、（ａ）は、変形例に係る電気掃除機１の掃除機本体２の要部右側断面図であり、（ｂ）〜（ｄ）は、（ａ）の要部拡大図である。
【００５５】
ここで、図９では、シャッタ２２において空気流路１１に臨む下面２２Ｂの前端部に、幅方向から見て、下面２２Ｂと略直交して空気流路１１内に突出する補助翼４２が一体的に設けられている。補助翼４２は、幅方向に細長い薄板状である。図９（ａ）では、閉じているシャッタ２２が後下側へ傾斜している一方で、補助翼４２は、前下側へ延びている。
【００５６】
このような補助翼４２を設けた場合、シャッタ２２が閉じている状態において、電動送風機５（図５参照）の出力（換言すれば、排気の風速）の変化に伴って上述した風圧が変化しても、シャッタ２２は、常に最大限（最大角度）まで開くことができる。
詳しくは、太線矢印で示すようにシャッタ２２へ向かって空気流路１１を流れる空気が、図９（ｂ）に示すようにシャッタ２２に到達すると、シャッタ２２の下面２２Ｂにぶつかり、上述したように、シャッタ２２を押し開けようとする。この際、空気がシャッタ２２を押し開けようとする力（上述した風圧）が強ければ、シャッタ２２は、速やかかつ確実に、最大限まで開くが（図９（ｄ）参照）、風圧が弱い場合には、図９（ｃ）に示すように、途中までしか開かない。このとき、シャッタ２２は、空気流路１１を流れる空気（図９（ｃ）に示す２つの太線矢印のうちの大きい太線矢印を参照）に対して略平行になっていることから、空気流路１１を流れる空気（風圧）がシャッタ２２に効果的に当たらず、シャッタ２２は、途中まで開いた状態からさらに開くことが困難である。
【００５７】
ここで、シャッタ２２へ向かう空気の一部は、図９（ｃ）に示す２つの太線矢印のうちの小さい太線矢印で示すように、掃除機本体２内で空気流路１１を区画する壁面４３に沿って流れてシャッタ２２の前側に回り込み、補助翼４２にぶつかる。このとき、補助翼４２は、この一部の空気に対して抵抗となるような（この一部の空気の流れに対して平行とならない）姿勢になっているので、シャッタ２２は、下面２２Ｂに加えて補助翼４２で風圧を受けることで、さらに押し開けられ、上述した風圧が弱くても、結果として、図９（ｄ）に示すように、最大限まで開くことができる。
【符号の説明】
【００５８】
１    電気掃除機
４    筐体
５    電動送風機
６    電気コード
８    吸気口
１０  排気口
１８  コード引出口
１９  噴出口
２２  シャッタ
２５  防護リブ
２７  第３傾斜面
２８  凹部
４１  ガード部
【図１】
0005484812.tif 000002
【図２】
0005484812.tif 000003
【図３】
0005484812.tif 000004
【図４】
0005484812.tif 000005
【図５】
0005484812.tif 000006
【図６】
0005484812.tif 000007
【図７】
0005484812.tif 000008
【図８】
0005484812.tif 000009
【図９】
0005484812.tif 000010